(57)【要約】      （修正有）【課題】  妊娠前ＢＭＩ値と体重から簡単に妊娠前ＢＭＩ値および妊娠週に応じた適正な体重増加量の範囲を確認でき、また、妊娠前体重と身長から即座に妊娠前のＢＭＩ値を算出し、各妊娠期における一日あたりの食事摂取基準を確認し、食品の単位量あたりのカロリーおよび成分量により一日の食事摂取量を調整できる妊婦体重管理早見表を提供する。【解決手段】  体重スケールのグラフ表記具１に摺動可能に取り付けられた体重表記具３を操作することにより、簡単に妊娠前ＢＭＩ値および妊娠週に応じた適正な体重増加量の範囲を確認できる。また、ＢＭＩ値早見表、妊婦・授乳婦の１日あたりの食事摂取基準表およびフーズスケールにより、妊娠前の体重と身長から即座に妊娠前のＢＭＩ値を算出でき、各妊娠期における１日あたりの食事摂取基準、食品の単位量あたりのカロリーおよび成分量を即座に確認し、一日あたりの食事摂取量を調整できる。【選択図】  図３
2007175919.tif 000002
【特許請求の範囲】
【請求項１】
妊娠前ＢＭＩ値が１８以下、１８〜２４および２４以上の３群の妊婦における各妊娠週での適正体重増加範囲を示すグラフであって、
（１）縦軸を体重、横軸を妊娠週数とし、縦軸の体重表記列部分を空欄として、当該部分に体重表示窓を設けたグラフ表記具と、
（２）該グラフ表記具に摺動可能に取り付けられ得るものであって、該体重表示窓に体重を表示できるように体重を記載した体重表記具
を組み合わせてなる体重スケールからなる、妊婦体重管理早見表。
【請求項２】
妊娠前ＢＭＩ値が１８以下、１８〜２４および２４以上の３群の妊婦における各妊娠週での適正体重増加範囲を示す３つのグラフを個別にしたものであって、各々のグラフについて、
（１）グラフの体重表記列部分を空欄として、当該部分に体重表示窓を設けたグラフ表記具と、
（２）該グラフ表記具に摺動可能に取り付けられ得るものであって、該体重表示窓に体重を表示できるように体重を記載した体重表記具
を作成し、これを組み合わせてなる３つの体重スケールを組み合わせてなる、請求項１記載の妊婦体重管理早見表。
【請求項３】
妊娠前ＢＭＩ値が１８以下、１８〜２４および２４以上の３群の妊婦における各妊娠週での適正体重増加範囲を示す３つのグラフを個別にしたものであって、各々のグラフについて、
（１）グラフの体重表記列部分を空欄として、当該部分に体重表示窓を設けたグラフ表記具を作成し、これに、
（２）各々のグラフ表示具において共用され得、且つ、該グラフ表記具に摺動可能に取り付けられ得るものであって、該体重表示窓に体重を表示できるように体重を記載した体重表記具
を組み合わせてなる体重スケールからなる、請求項１記載の妊婦体重管理早見表。
【請求項４】
妊娠前ＢＭＩ値が１８以下、１８〜２４および２４以上の３群の妊婦における各妊娠週での適正体重増加範囲を示す３つのグラフのグラフ表記具を、各グラフ表記具の体重表示窓の位置を一致させ得る態様で一体化してなる、請求項３記載の妊婦体重管理早見表。
【請求項５】
妊娠前ＢＭＩ値が１８以下、１８〜２４および２４以上の３群の妊婦における各妊娠週での適正体重増加範囲を示す３つのグラフを一面にまとめたものであって、
（１）該３つのグラフを、各グラフの体重表記列が重ならない程度に間隔を開けて階段状に記載し、且つ、各グラフの体重表記列部分を空欄として、当該部分に体重表示窓を設けたグラフ表記具と、
（２）該グラフ表記具に摺動可能に取り付けられ得るものであって、各グラフの体重表示窓に、対応するグラフの体重を表示できるように、該グラフ表記具における３つのグラフ間の間隔と同じ間隔を開けて体重を記載した体重表記具
を組み合わせてなる体重スケールからなる、請求項１記載の妊婦体重管理早見表。
【請求項６】
妊娠前ＢＭＩ値が１８以下、１８〜２４および２４以上の３群の妊婦における各妊娠週での適正体重増加範囲を示す３つのグラフが識別できる態様で一体化して１つのグラフとした体重スケールからなる、請求項１記載の妊婦体重管理早見表。
【請求項７】
グラフ表記具が袋状のものであって、体重表記具がカード状のものである、請求項１〜６記載の妊婦体重管理早見表。
【請求項８】
さらに、ＢＭＩ値早見表を組み合わせてなる、請求項１〜７記載の妊婦体重管理早見表。
【請求項９】
グラフ表記具または体重表記具の余白部分にＢＭＩ早見表を表記してなる、請求項８記載の妊婦体重管理早見表。
【請求項１０】
袋状のグラフ表記具のグラフ記載面の反対面にＢＭＩ早見表を表記してなる、請求項８または９記載の妊婦体重管理早見表。
【請求項１１】
さらに、妊婦・授乳婦の１日あたりの食事摂取基準表およびフーズスケールを組み合わせてなる、請求項１〜１０記載の妊婦体重管理早見表。
【請求項１２】
フーズスケールが、食品単位量あたりのカロリー並びに食塩、鉄およびカルシウム含有量を表示したものであり、妊婦・授乳婦の１日あたりの食事摂取基準表が、非妊娠時、妊娠初期妊婦、妊娠中期妊婦、妊娠末期妊婦および授乳婦における、１日あたりのカロリー、食塩、鉄およびカルシウム摂取基準を表示したものである、請求項１１記載の妊婦体重管理早見表。
【請求項１３】
フーズスケールが、
（１）食品名とその単位量を記載し、且つ、カロリー・成分量を表示する食品を示すポインターを表示するポインター表示窓と該食品の単位量当たりカロリー・成分量表示窓とを設けた食品名・単位量表記具と、
（２）該食品名・単位量表記具に摺動可能に取り付けられるものであって、ポインター表示窓に、カロリー・成分量を表示する食品の位置にポインターを表示でき、カロリー・成分量表示窓に、該食品の単位量当たりのカロリー・成分量を表示できるように、ポインターおよび食品の単位量当たりのカロリー・成分量を記載した単位量当たりカロリー・成分量表記具
を組み合わせてなるものである、請求項１１または１２記載の妊婦体重管理早見表。
【請求項１４】
食品名・単位量表記具が袋状のものであって、単位量当たりカロリー・成分量表記具がカード状である、請求項１３記載の妊婦体重管理早見表。
【請求項１５】
食品名・単位量表記具の余白部分に妊婦・授乳婦の１日あたりの食事摂取基準表を表記してなる、請求項１４記載の妊婦体重管理早見表。
【請求項１６】
体重スケール、ＢＭＩ値早見表、妊婦・授乳婦の１日あたりの食事摂取基準表およびフーズスケールを組み合わせてなる妊婦体重管理早見表であって、
（１）妊娠前ＢＭＩ値が１８以下、１８〜２４および２４以上の３群の妊婦における各妊娠週での適正体重増加範囲を示すグラフであって、縦軸を体重とし、横軸を妊娠週数とする３つのグラフを、同一面に各グラフの体重表記列が重ならない程度に間隔を開けて階段状に記載し、且つ、縦軸の体重表記列部分を空欄として、当該部分に体重表示窓を設けた袋状のグラフ表記具と、
（２）該グラフ表記具に摺動可能に挿入され得るものであって、各グラフの体重表示窓に、対応するグラフの体重を表示できるように、該グラフ表記具における３つのグラフ間の間隔と同じ間隔を開けて体重を記載したカード状の体重表記具
を組み合わせてなる体重スケールにおいて、グラフ表記面の反対面にＢＭＩ早見表を記載してなる、ＢＭＩ値早見表付き体重スケールと、
（３）食品名とその単位量を記載し、且つ、カロリー・成分量を表示する食品を示すポインターを表示するポインター表示窓と該食品の単位量当たりカロリー・成分量表示窓とを設けた袋状の食品名・単位量表記具と、
（４）該食品名・単位量表記具に摺動可能に挿入され得るものであって、ポインター表示窓に、カロリー・成分量を表示する食品の位置にポインターを表示でき、カロリー・成分量表示窓に、該食品の単位量当たりのカロリー・成分量を表示できるように、ポインターおよび食品の単位量当たりのカロリー・成分量を記載したカード状の単位量当たりカロリー・成分量表記具
を組み合わせてなるフーズスケールにおいて、片面の下部に妊婦・授乳婦の１日あたりの食事摂取基準表を記載してなる、妊婦・授乳婦の１日あたりの食事摂取基準表付きフーズスケール
を組合せてなる、妊婦体重管理早見表。
【請求項１７】
ＢＭＩ値早見表付き体重スケールと、妊婦・授乳婦の１日あたりの食事摂取基準表付きフーズスケールを、折りたたみ可能な形態で一体化してなる、請求項１６記載の妊婦体重管理早見表。
【請求項１８】
フーズスケールが、食品単位量あたりのカロリー並びに食塩、鉄およびカルシウム含有量を表示したものであり、妊婦・授乳婦の１日あたりの食事摂取基準表が、非妊娠時、妊娠初期妊婦、妊娠中期妊婦、妊娠末期妊婦および授乳婦における、１日あたりのカロリー、食塩、鉄およびカルシウム摂取基準を表記したものである、請求項１６または１７記載の妊婦体重管理早見表。
【発明の詳細な説明】
【技術分野】
【０００１】
本発明は、妊婦の妊娠週数に応じた適正な体重増加量を管理するのに有用な妊婦体重管理早見表に関する。
【０００２】
詳細には、妊娠前のＢＭＩに応じて、妊婦の適正な体重増加量を管理するのに有用な妊婦体重管理早見表に関する。
【背景技術】
【０００３】
胎児の発育管理において妊婦の体重増加量は最も手軽な目安となるが、胎児の正常な発育のためには妊婦の適正な体重増加量の管理が必要である。胎児の発育は妊娠週によって発育する段階が異なり、各発育段階または妊娠期で胎児の体重増加量も異なる。従って、胎児の正常な発育管理のためには妊娠週に応じた適正な体重増加量を管理することが重要である。
【０００４】
さらに、妊婦の体重管理においては、妊娠前のＢＭＩ値に応じて適正な体重増加量を管理する事が重要であり、妊娠前のＢＭＩ値に応じた適正な体重増加量の範囲を示したグラフも報告されている。（例えば非特許文献１）
【０００５】
しかしながら、妊婦自身で妊娠前のＢＭＩ値を計算し、そのＢＭＩ値に応じて、各妊娠週における適正な体重増加量を簡単に把握できるような手段は報告されていない。
【０００６】
また一方、胎児の正常な発育のためには妊娠期に応じた妊婦の適正な栄養管理も重要である。そのために、妊婦の各妊娠期における、１日あたりの食事摂取基準が示されている。また、各食品の単位量あたりのカロリーおよび成分表も各種報告されているものの、これらの妊婦の栄養管理に有用な資料、情報はいずれも個別に示されているだけであり、同時に示されてはいない。
【非特許文献１】「Pre-mo（プレモ）」（２００５年１１月号、５５頁、２００５年１１月１日、主婦の友社発行）
【発明の開示】
【発明が解決しようとする課題】
【０００７】
胎児の正常な発育管理のためには、胎児の発育段階または妊婦の妊娠期に応じた、適正な栄養管理および体重増加量管理が必要である。
【０００８】
妊婦の体重管理は、妊娠週に応じて、しかも妊娠前のＢＭＩ値に応じた適正な増加量を目標にして管理することが望ましいとされ、妊娠前のＢＭＩ値に応じた適正な体重増加量の範囲を示したグラフは報告されている。しかしながら、これまで、妊娠前のＢＭＩ値に応じた適正な体重増加量の範囲を簡単に把握できるような手段が知られていないため、妊婦自身で妊娠前のＢＭＩ値を計算し、そのＢＭＩ値に応じた各妊娠週における適正な体重増加量を把握して、体重増加量を管理することが困難であった。
【０００９】
また、妊婦の栄養管理も胎児の発育にあわせて、すなわち、各妊娠期にあわせて栄養摂取量を管理する必要がある。そして、そのための目安となる妊婦の各妊娠期における１日あたりの食事摂取基準が示されており、各食品の単位量あたりのカロリーおよび成分量も報告されている。しかしながら、このような妊婦の栄養管理に有用な、妊婦の各妊娠期における１日あたりの食事摂取基準および食品の単位量あたりのカロリー・成分表などはいずれも個別に示されているため、妊婦自身で管理およびチェックする際には、これらの個別の資料を集め、食品のカロリーおよび成分量を確認するなどの手間を要し、極めて不便であった。
【課題を解決するための手段】
【００１０】
本発明は、妊婦の妊娠週に応じた適正な体重増加量を管理するのに有用な妊婦体重管理早見表に関する。詳細には、妊娠前のＢＭＩ値に応じた適正な体重増加量を管理するのに有用な妊婦体重管理早見表に関する。
【００１１】
より詳細には、妊娠前ＢＭＩ値が１８以下、１８〜２４および２４以上の３群の妊婦における各妊娠週での適正体重増加範囲を示すグラフであって、体重表記列部分を空欄として、当該部分に体重表示窓を設けたグラフ表記具と、該グラフ表記具に摺動可能に取り付けられ得るものであって、該体重表示窓に体重を表示できるように体重を記載した体重表記具を組み合わせてなる体重スケールからなり、該グラフ表記具と体重表記具を操作することによって、妊娠前のＢＭＩ値と体重をもとに、妊婦自身で、簡単に、即座に、妊娠前ＢＭＩ値に応じ、且つ、妊娠週に応じた適正な体重増加量の範囲を確認することができる妊婦体重管理早見表を提供するものである。
【００１２】
さらに、該体重スケールにＢＭＩ値早見表、妊婦・授乳婦の１日あたりの食事摂取基準表およびフーズスケールをさらに組み合わせてなり、妊婦自身で、妊娠前のＢＭＩ値を計算し、当該ＢＭＩ値と体重をもとに、容易に、即座に各妊婦の妊娠週に応じ、且つ、妊娠週に応じた適正な体重増加量の範囲を確認することができ、さらに、妊婦の各妊娠期における一日あたりの食事摂取基準に合わせて一日の食事内容を調整するための食品の単位量あたりのカロリーおよび成分量を確認できる妊婦体重管理早見表を提供するものである。
【００１３】
すなわち、本発明は、
［１］  妊娠前ＢＭＩ値が１８以下、１８〜２４および２４以上の３群の妊婦における各妊娠週での適正体重増加範囲を示すグラフであって、
（１）縦軸を体重、横軸を妊娠週数とし、縦軸の体重表記列部分を空欄として、当該部分に体重表示窓を設けたグラフ表記具と、
（２）該グラフ表記具に摺動可能に取り付けられ得るものであって、該体重表示窓に体重を表示できるように体重を記載した体重表記具
を組み合わせてなる体重スケールからなる、妊婦体重管理早見表。
［２］  妊娠前ＢＭＩ値が１８以下、１８〜２４および２４以上の３群の妊婦における各妊娠週での適正体重増加範囲を示す３つのグラフを個別にしたものであって、各々のグラフについて、
（１）グラフの体重表記列部分を空欄として、当該部分に体重表示窓を設けたグラフ表記具と、
（２）該グラフ表記具に摺動可能に取り付けられ得るものであって、該体重表示窓に体重を表示できるように体重を記載した体重表記具
を作成し、これを組み合わせてなる３つの体重スケールを組み合わせてなる、［１］記載の妊婦体重管理早見表。
［３］  妊娠前ＢＭＩ値が１８以下、１８〜２４および２４以上の３群の妊婦における各妊娠週での適正体重増加範囲を示す３つのグラフを個別にしたものであって、各々のグラフについて、
（１）グラフの体重表記列部分を空欄として、当該部分に体重表示窓を設けたグラフ表記具を作成し、これに、
（２）各々のグラフ表示具において共用され得、且つ、該グラフ表記具に摺動可能に取り付けられ得るものであって、該体重表示窓に体重を表示できるように体重を記載した体重表記具
を組み合わせてなる体重スケールからなる、［１］記載の妊婦体重管理早見表。
［４］  妊娠前ＢＭＩ値が１８以下、１８〜２４および２４以上の３群の妊婦における各妊娠週での適正体重増加範囲を示す３つのグラフのグラフ表記具を、各グラフ表記具の体重表示窓の位置を一致させ得る態様で一体化してなる、［３］記載の妊婦体重管理早見表。
［５］  妊娠前ＢＭＩ値が１８以下、１８〜２４および２４以上の３群の妊婦における各妊娠週での適正体重増加範囲を示す３つのグラフを一面にまとめたものであって、
（１）該３つのグラフを、各グラフの体重表記列が重ならない程度に間隔を開けて階段状に記載し、且つ、各グラフの体重表記列部分を空欄として、当該部分に体重表示窓を設けたグラフ表記具と、
（２）該グラフ表記具に摺動可能に取り付けられ得るものであって、各グラフの体重表示窓に、対応するグラフの体重を表示できるように、該グラフ表記具における３つのグラフ間の間隔と同じ間隔を開けて体重を記載した体重表記具
を組み合わせてなる体重スケールからなる、［１］記載の妊婦体重管理早見表。
［６］  妊娠前ＢＭＩ値が１８以下、１８〜２４および２４以上の３群の妊婦における各妊娠週での適正体重増加範囲を示す３つのグラフが識別できる態様で一体化して１つのグラフとした体重スケールからなる、［１］記載の妊婦体重管理早見表。
［７］  グラフ表記具が袋状のものであって、体重表記具がカード状のものである、［１］〜［６］記載の妊婦体重管理早見表。
［８］  さらに、ＢＭＩ値早見表を組み合わせてなる、［１］〜［７］記載の妊婦体重管理早見表。
［９］  グラフ表記具または体重表記具の余白部分にＢＭＩ早見表を表記してなる、［８］記載の妊婦体重管理早見表。
［１０］  袋状のグラフ表記具のグラフ記載面の反対面にＢＭＩ早見表を表記してなる、［８］または［９］記載の妊婦体重管理早見表。
［１１］  さらに、妊婦・授乳婦の１日あたりの食事摂取基準表およびフーズスケールを組み合わせてなる、［１］〜［１０］記載の妊婦体重管理早見表。
［１２］  フーズスケールが、食品単位量あたりのカロリー並びに食塩、鉄およびカルシウム含有量を表示したものであり、妊婦・授乳婦の１日あたりの食事摂取基準表が、非妊娠時、妊娠初期妊婦、妊娠中期妊婦、妊娠末期妊婦および授乳婦における、１日あたりのカロリー、食塩、鉄およびカルシウム摂取基準を表示したものである、［１１］記載の妊婦体重管理早見表。
［１３］  フーズスケールが、
（１）食品名とその単位量を記載し、且つ、カロリー・成分量を表示する食品を示すポインターを表示するポインター表示窓と該食品の単位量当たりカロリー・成分量表示窓とを設けた食品名・単位量表記具と、
（２）該食品名・単位量表記具に摺動可能に取り付けられるものであって、ポインター表示窓に、カロリー・成分量を表示する食品の位置にポインターを表示でき、カロリー・成分量表示窓に、該食品の単位量当たりのカロリー・成分量を表示できるように、ポインターおよび食品の単位量当たりのカロリー・成分量を記載した単位量当たりカロリー・成分量表記具
を組み合わせてなるものである、［１１］または［１２］記載の妊婦体重管理早見表。
［１４］  食品名・単位量表記具が袋状のものであって、単位量当たりカロリー・成分量表記具がカード状である、［１３］記載の妊婦体重管理早見表。
［１５］  食品名・単位量表記具の余白部分に妊婦・授乳婦の１日あたりの食事摂取基準表を表記してなる、［１４］記載の妊婦体重管理早見表。
［１６］  体重スケール、ＢＭＩ値早見表、妊婦・授乳婦の１日あたりの食事摂取基準表およびフーズスケールを組み合わせてなる妊婦体重管理早見表であって、
（１）妊娠前ＢＭＩ値が１８以下、１８〜２４および２４以上の３群の妊婦における各妊娠週での適正体重増加範囲を示すグラフであって、縦軸を体重とし、横軸を妊娠週数とする３つのグラフを、同一面に各グラフの体重表記列が重ならない程度に間隔を開けて階段状に記載し、且つ、縦軸の体重表記列部分を空欄として、当該部分に体重表示窓を設けた袋状のグラフ表記具と、
（２）該グラフ表記具に摺動可能に挿入され得るものであって、各グラフの体重表示窓に、対応するグラフの体重を表示できるように、該グラフ表記具における３つのグラフ間の間隔と同じ間隔を開けて体重を記載したカード状の体重表記具
を組み合わせてなる体重スケールにおいて、グラフ表記面の反対面にＢＭＩ早見表を記載してなる、ＢＭＩ値早見表付き体重スケールと、
（３）食品名とその単位量を記載し、且つ、カロリー・成分量を表示する食品を示すポインターを表示するポインター表示窓と該食品の単位量当たりカロリー・成分量表示窓とを設けた袋状の食品名・単位量表記具と、
（４）該食品名・単位量表記具に摺動可能に挿入され得るものであって、ポインター表示窓に、カロリー・成分量を表示する食品の位置にポインターを表示でき、カロリー・成分量表示窓に、該食品の単位量当たりのカロリー・成分量を表示できるように、ポインターおよび食品の単位量当たりのカロリー・成分量を記載したカード状の単位量当たりカロリー・成分量表記具
を組み合わせてなるフーズスケールにおいて、片面の下部に妊婦・授乳婦の１日あたりの食事摂取基準表を記載してなる、妊婦・授乳婦の１日あたりの食事摂取基準表付きフーズスケール
を組合せてなる、妊婦体重管理早見表。
［１７］  ＢＭＩ値早見表付き体重スケールと、妊婦・授乳婦の１日あたりの食事摂取基準表付きフーズスケールを、折りたたみ可能な形態で一体化してなる、［１６］記載の妊婦体重管理早見表。
［１８］  フーズスケールが、食品単位量あたりのカロリー並びに食塩、鉄およびカルシウム含有量を表示したものであり、妊婦・授乳婦の１日あたりの食事摂取基準表が、非妊娠時、妊娠初期妊婦、妊娠中期妊婦、妊娠末期妊婦および授乳婦における、１日あたりのカロリー、食塩、鉄およびカルシウム摂取基準を表記したものである、請求項１６または１７記載の妊婦体重管理早見表。
を、それぞれ提供するものである。
【００１４】
胎児の正常な発育には母体である妊婦の栄養状態が良好である事が重要であり、そのために、胎児の発育に応じた、すなわち、妊娠期に応じた食品の摂取量管理が必要であることは言うまでもないが、胎児の正常な発育のためには、妊婦の適正な体重増加量の管理も重要である。そして、妊婦の体重管理は胎児の発育段階に応じて、すなわち、妊娠週に応じて行うことが必要であり、同時に、妊娠前のＢＭＩ値に応じた適正な増加量を目標にして管理することが望ましい。
【００１５】
従って、妊婦の体重管理および栄養管理においては、妊娠前のＢＭＩ値を計算し、そのＢＭＩ値に基づいて各妊娠週における適正体重増加量を把握し、さらに、胎児の発育に応じた、妊娠期に応じた食品の摂取量を把握して、適正な食品摂取量と体重増加量を管理する必要がある。
【００１６】
しかしながら、これまで、妊娠前のＢＭＩ値を計算し、そのＢＭＩ値に応じ、且つ、妊娠週に応じた適正な体重増加量の範囲を簡単に把握できるような手段が知られていないため、妊婦自身で妊娠前のＢＭＩ値を計算し、そのＢＭＩ値に応じて、各妊娠週における適正な体重増加量を把握して、体重増加量を管理することが困難であった。
【００１７】
さらに、妊婦の栄養管理に有用な、妊婦の各妊娠期における１日あたりの食事摂取基準や食品の単位量あたりのカロリー・成分表なども個別に示されているため、妊婦自身で栄養管理および体重管理をする際には、これらの個別の資料を集めて、妊娠前の体重からＢＭＩ値を計算し、そのＢＭＩ値に基づいて妊娠週に応じた適正な体重増加量を確認し、さらに、妊娠期における１日あたりの食事摂取基準を把握し、食品のカロリーおよび成分量を確認するなどの煩雑な作業と手間を要し、極めて不便であった。
【００１８】
本発明の妊婦体重管理早見表は、このような課題を解決できるものである。
【００１９】
ＢＭＩは、Ｂｏｄｙ  Ｍａｓｓ  Ｉｎｄｅｘ（ボディーマス  インデックス）の略であり、体重（ｋｇ）÷身長（ｍ）÷身長（ｍ）の計算式により、すなわち、体重（ｋｇ）を身長（ｍ）の二乗で除することにより計算される。
【００２０】
ＢＭＩ値は肥満度の指標として用いられ、性別、体格などにより標準的な値が多少異なるが、妊婦の体重管理においては、ＢＭＩ値１８〜２４を標準型とし、ＢＭＩ値１８以下をやせ型、ＢＭＩ値２４以上を肥満型とされている。
【００２１】
そして、妊婦の体重増加量管理において、妊娠前ＢＭＩ値１８〜２４の標準型の妊婦の場合、最終の妊娠週４０週における体重が妊娠前の体重の約７〜１０ｋｇ増、ＢＭＩ値で約２０％増が適正として、これを目安とした体重管理が求められている。
【００２２】
妊娠前ＢＭＩ値２４以上の肥満型の妊婦の場合は、標準型妊婦より低い体重増加、すなわち、最終の妊娠週４０週における体重が妊娠前の体重の約５〜７ｋｇ増、ＢＭＩ値で約１０％増に止めることが求められ、妊娠前ＢＭＩ値１８以下のやせ型の妊婦の場合は、逆に標準型妊婦より多い体重増加、すなわち、最終の妊娠週４０週における体重を妊娠前の体重の約１０〜１２ｋｇ増、ＢＭＩ値で約２５％増が求められる。
【００２３】
一方、妊婦の各妊娠期における１日あたりの食事摂取量の基準も示されており、例えばエネルギーについては、非妊娠時の１日当たり必要エネルギー量の１７５０ｋｃａｌ（キロカロリー）より、妊娠初期で約５０ｋｃａｌ、妊娠中期で約２５０ｋｃａｌ、妊娠後期では約５００ｋｃａｌの増加が適当とされ、鉄分については、非妊娠時の１日当たり必要量の６．５ｍｇより、初期、中期、後期を通して約１３ｍｇの増加が適当とされている。
【００２４】
このように、胎児の適正な発育を促すためには、妊婦は妊娠前の体型に応じ、且つ、妊娠期あるいは妊娠週数に応じた栄養管理と体重増加量管理が求められるが、これまで、このような、妊娠前の体型および妊娠期あるいは妊娠週数に応じた栄養管理と体重増加量管理の目安となる基準値や食事摂取量を即座に、簡単に把握する手段がなかった。
【００２５】
本発明の妊婦体重管理早見表は、妊娠前のＢＭＩ値および妊娠週数に応じた体重管理の目安となる適正な体重増加量の範囲を極めて容易に、即座に把握できるものであり、さらに、各妊娠期における１日あたりの食事摂取基準および体重増加量に応じて、１日あたりの食事摂取量を容易に計算することができるものである。
【００２６】
本発明の妊婦体重管理早見表は、妊娠前ＢＭＩ値が１８以下、１８〜２４および２４以上の３群の妊婦における各妊娠週での適正体重増加範囲を示す体重スケールについて、
（１）縦軸を体重、横軸を妊娠週数とし、縦軸の体重表記列部分を空欄として、当該部分に体重表示窓を設けたグラフ表記具と、
（２）該グラフ表記具に摺動可能に取り付けられ得るものであって、該体重表示窓に体重を表示できるように体重を記載した体重表記具
を組み合わせた点に特徴を有するものであり、グラフ表記具に組み合わせた体重表記具を適宜スライドさせて、妊婦の妊娠前ＢＭＩ値に対応するグラフ表記具の体重表示窓の妊娠前体重表示位置に、妊娠前体重を合わせることによって、極めて簡単に、即座に、妊娠前のＢＭＩ値に応じ、且つ、妊娠週に応じた適正な体重増加量の範囲を把握することができる。
【００２７】
本発明の妊婦体重管理表における体重スケールは、妊娠前ＢＭＩ値が１８以下、１８〜２４および２４以上の３群の妊婦における各妊娠週での適正体重増加範囲を示すものであればどのような態様のものでもよく、また、３つのグラフを個別に作成して組み合わせても、一面にまとめて作成してもよく、さらには、３つのグラフを一体化して１つのグラフとしてもよい。
【００２８】
３つのグラフを個別に作成して組み合わせる場合、各グラフについて各々、グラフ表記具と体重表記具を作成して組み合わせる態様でも、グラフ表記具だけ個別に作成して、各グラフ表記具に共用され得る１つの体重表記具と組み合わせる態様でもよい。グラフ表記具だけ個別に作成して、各グラフ表記具に共用され得る１つの体重表記具と組み合わせる態様の場合、３つのグラフ表記具の体重表示窓を一致させ得る態様であればよく、３葉がバラバラでも、３葉を１葉ずつ開けるようにして重ねて合わせたものでも、折り畳んだものなどでもよい。
【００２９】
３つのグラフを一面にまとめて作成する場合は、グラフ表記具の記載において、該３つのグラフを各グラフの体重表記列が重ならないように間隔を開けて記載することが必要であり、各グラフの体重表記列が重ならなければどのような態様のものでもよく、例えば、階段状に記載しても、弓なりに記載してもよい。いずれの場合も、体重表記具における体重の記載において、各グラフの体重表示窓に、対応するグラフの体重を表示できるように、該グラフ表記具における３つのグラフの記載態様に合わせて、且つ、体重表示窓間の間隔と同じ間隔を開けて体重を記載する。
【００３０】
３つのグラフを一体化して１つのグラフとする場合は、各群のグラフが識別できる態様であればどのような態様でもよく、例えば、積み重ねグラフ態様で、濃淡、色彩あるいは網掛け模様等によって区別したものを挙げることができる。
【００３１】
本発明の妊婦体重管理表の体重スケールにおける、グラフ表記具と体重表記具との組み合わせかたは、体重表記具がグラフ表記具と摺動可能に組み合わせられるものであればどのような態様のものでもよく、例えば、グラフ表記具と体重表記具をいずれもカード状として組み合わせてもよく、グラフ表記具を袋状にし、体重表記具をその袋状のグラフ表記具に挿入できる大きさのカード状にして組み合わせたものでもよい。
【００３２】
本発明の妊婦体重管理表において、体重スケールに組み合わせられるＢＭＩ早見表は、妊娠前の体重と身長から、少なくとも、ＢＭＩ値が１８以下、１８〜２４および２４以上のどの群に含まれるかを、簡単に読みとることができるものであればどのような態様のものでもよい。
【００３３】
体重スケールとＢＭＩ早見表との組み合わせかたはどのような組合せ方でも良く、例えば、体重スケールにおけるグラフ表記具と体重表記具がいずれもカード状である場合は、体重表記具の体重表記面の裏面に記載してもよく、グラフ表記具が袋状である場合は、当該グラフ表記具のグラフ表記面の裏面に記載してもよい。
【００３４】
グラフ表記具と体重表記具がいずれもカード状である場合は、分離した２枚のカードの組合せでもよく、２枚のカード状のグラフ表記具と体重表記具を摺動可能に結合させたものでもよい。摺動可能に結合させた態様としては、例えば、いずれか一方に、もう一方を摺動させるための、例えばガードレール様の支持具を設けたもの、あるいは、いずれか一方にピンまたは突起を設け、もう一方に当該ピンまたは突起に対応する摺動溝を設けた態様などを挙げることができる。
【００３５】
本発明の妊婦体重管理表において組み合わせられる妊婦・授乳婦の１日あたりの食事摂取基準表は、少なくとも、非妊娠時、妊娠初期妊婦、妊娠中期妊婦、妊娠末期妊婦および授乳婦における、１日あたりのカロリー、食塩、鉄およびカルシウム摂取基準を表記したものであればどのような態様のものでもよく、その外の成分の摂取基準を含んでいてもよい。
【００３６】
本発明の妊婦体重管理表において組み合わせられるフーズスケールは、組み合わせられる妊婦・授乳婦の１日あたりの食事摂取基準表に合わせて、少なくとも、食品単位量あたりのカロリー並びに食塩、鉄およびカルシウム含有量を表示したものであればどのような態様のものでもよく、その外の成分の摂取基準を含んでいてもよい。
【００３７】
本フーズスケールにおける食品単位量とは、単位数量あるいは単位重量だけでなく、１回の食事または間食において摂取する標準的な量を含む。１回の摂取量が標準的な量あるいはフーズスケールに記載した数量あるいは重量と異なるときは、適宜、増減して調整する。
【００３８】
フーズスケールにおける、食品名・単位量表記具と単位量当たりカロリー・成分量表記具との組み合わせかたは、食品名・単位量表記具が単位量当たりカロリー・成分量表記具と摺動可能に組み合わせられるものであればどのような態様のものでもよく、例えば、食品名・単位量表記具と単位量当たりカロリー・成分量表記具をいずれもカード状として組み合わせてもよく、食品名・単位量表記具を袋状にし、単位量当たりカロリー・成分量表記具をその袋状の食品名・単位量表記具に挿入できる大きさのカード状にして組み合わせたものでもよい。
【００３９】
食品名・単位量表記具と単位量当たりカロリー・成分量表記具がいずれもカード状である場合は、分離した２枚のカードの組合せでもよく、２枚のカード状の食品名・単位量表記具と単位量当たりカロリー・成分量表記具を摺動可能に結合させたものでもよい。
【００４０】
本発明の妊婦体重管理表において組み合わせられる妊婦・授乳婦の１日あたりの食事摂取基準表とフーズスケールは、バラバラのままセットにして組み合わせてもよく、フーズスケールの余白部分に妊婦・授乳婦の１日あたりの食事摂取基準表を組み込んで、体重スケール組み合わせてもよい。さらに、体重スケールと妊婦・授乳婦の１日あたりの食事摂取基準表付きフーズスケールとの組合せ方もどのような組合せ方でもよく、バラバラのままセットにして組み合わせてもよく、結合して一体化させてもよい。
【発明の効果】
【００４１】
本発明の妊婦体重管理早見表は、妊婦の妊娠前ＢＭＩ値が１８以下、１８〜２４および２４以上の３群における各妊娠週での適正体重増加範囲を示すグラフであって、体重表記列部分を空欄として、当該部分に体重表示窓を設けたグラフ表記具と、該グラフ表記具に摺動可能に取り付けられ得るものであって、該体重表示窓に体重を表示できるように体重を記載した体重表記具を組み合わせてなる体重スケールからなるものであって、該グラフ表記具と体重表記具を操作することによって、妊娠前のＢＭＩ値と体重をもとに、妊婦自身で、簡単に、即座に、妊娠前ＢＭＩ値に応じ、且つ、妊娠週に応じた適正な体重増加量の範囲を確認することができるという効果を有する。
【００４２】
また、本発明の妊婦体重管理早見表は、該体重スケールに、ＢＭＩ値早見表、妊婦・授乳婦の１日あたりの食事摂取基準表およびフーズスケールを組み合わせてなるものであり、妊娠前の体重と身長から即座に妊娠前のＢＭＩ値を算出することができ、さらに、各妊娠期における１日あたりの食事摂取基準および食品の単位量あたりのカロリーおよび成分量を即座に確認でき、一日あたりの食事摂取量を把握、調整することができるという効果を有する。
【発明を実施するための最良の形態】
【００４３】
以下、本発明の妊婦体重管理早見表の実施態様例を示した図面に基づいて本発明を詳述するが、本発明はこれらに限定されるものではない。
【００４４】
［実施例１］
妊婦体重管理早見表１
（１）グラフ表記具１
図１は本発明の体重スケールのグラフ表記具の１実施態様例を示す図である。本実施態様例は、妊娠前ＢＭＩ値１８以下、妊娠前ＢＭＩ値１８〜２４および妊娠前ＢＭＩ値２４以上の各群での各妊娠週における適正体重増加量を示すグラフを、縦軸を体重（ｋｇ）とし、横軸を妊娠週数（週）とし、該３つのグラフを一面にまとめたものであって、該３つのグラフを、各グラフの体重表記列が重ならない程度に間隔を開けて階段状に記載した例である。また、本実施態様例はカード状にしたものである。本図から分かるように、各グラフの体重表記列部分を空欄として、当該部分に体重表示窓を設けている。グラフの配置は各グラフの体重表記列が重ならない限り、適宜変更してもよく、図中のグラフ表題、補足説明等の記載も適宜変更してもよい。また、余白部分の記載についても一切制限するものではない。
（２）体重表記具１
図２は本発明の体重スケールの、体重表記具の１実施態様例を示す図である。本実施態様例はカード状のものであり、本実施例の（１）グラフ表記具１の態様に合わせて、該３つのグラフに対応する体重を、（１）グラフ表記具１における各グラフの間隔と同じ間隔を開けて階段状に記載している。なお、本図は表面であり、裏面は白紙のため省略している。また、裏面の記載については一切制限するものではない。
（３）体重スケール１
図３は本発明の体重スケールの１実施態様例を示す図である。本実施態様例は、本実施例のカード状の（１）グラフ表記具１と（２）体重表記具１を組み合わせた例であり、妊娠前ＢＭＩ値が１８以下で妊前体重が３４ｋｇ、妊娠前ＢＭＩ値が１８〜２４で妊前体重が５８ｋｇおよび妊娠前ＢＭＩ値が２４以上で妊前体重が６２ｋｇの妊婦の場合の態様例を示している。
【００４５】
［実施例２］
妊婦体重管理早見表２
（１）グラフ表記具２
図４および図５は、本発明の体重スケールのグラフ表記具の１実施態様例を示す図である。本実施態様例は上部を開口部とする袋状にしたものであり、図４はその表面、図５は裏面を示す。本図から分かるように、本実施態様例は表面に妊娠前ＢＭＩ値１８以下、妊娠前ＢＭＩ値１８〜２４および妊娠前ＢＭＩ値２４以上の各群での各妊娠週における適正体重増加量を示すグラフを表記し、裏面にＢＭＩ値早見表を記載している。また、上部にカード状の体重表記具を摺動する際のつまみ部分を露出させるための半円状の切り抜き部を設けている。ＢＭＩ値早見表の配置はこれに限定されるものではなく、また、表面および裏面の余白部分の記載についても一切制限するものではない。
（２）体重表記具２
図６は本発明の体重スケールの体重表記具の１実施態様例を示す図である。本実施態様例は、本実施例の袋状の（１）グラフ表記具２に摺動可能に取り付けることができるカード状にしたものであり、横径を（１）グラフ表記具２の袋の内径より短くし、上部に体重表記具を摺動する際のつまみ部分を示す半円状のマークを記している。なお、本図は表面であり、裏面は白紙のため省略している。また、裏面の記載については一切制限するものではない。
（３）体重スケール２
図７および図８は本発明の体重スケールの１実施態様例を示す図である。本実施態様例は、本実施例の袋状の（１）グラフ表記具２とカード状の（２）体重表記具２を組み合わせた例であり、図７はその表面、図８は裏面を示す。本図から分かるように、本実施態様例は、妊娠前ＢＭＩ値が１８以下で妊前体重が３４ｋｇ、妊娠前ＢＭＩ値が１８〜２４で妊前体重が５８ｋｇおよび妊娠前ＢＭＩ値が２４以上で妊前体重が６２ｋｇの妊婦の場合の態様例を示している。
【００４６】
［実施例３］
（１）食品名・単位量表記具
図９および図１０は、本発明のフードスケールの食品名・単位量表記具の１実施態様例を示す図である。本実施態様例は上部を開口部とする袋状にしたものであり、図９はその表面、図１０は裏面を示す。本図から分かるように、本実施態様例は表面にお菓子・くだものその他および調味料等の食品名・単位量と、妊婦・授乳婦の１日あたりの食事摂取基準表を記し、裏面に主食・おかず・野菜・汁物等の食品名・単位量を記載した例である。また、各種食品名とその食品の１回の食事または間食において摂取する標準的な量が記載できる食品についてはその量を記載し、その前部にポインター表示窓を設け、食品記載欄の上部に食品の単位量当たりカロリー・成分量表示窓を設けている。また、上部にカード状の単位量当たりカロリー・成分量表記具を摺動する際のつまみ部分を露出させるための半円状の切り抜き部を設けている。食品の種類、内容等についてはこれに限定されるものではなく、適宜変更してもよい。また、食品の単位量当たりの成分の種類についてもこれに限定されるものではなく、適宜追加、変更してもよい。
（２）単位量当たりカロリー・成分量表記具
図１１および図１２は、本発明のフードスケールの単位量当たりカロリー・成分量表記具の１実施態様例を示す図である。本実施態様例は、本実施例の袋状の（１）食品名・単位量表記具に摺動可能に取り付けることができるカード状にしたものであり、横径を（１）食品名・単位量表記具１の袋の内径より短くしている。また、図１１はカードの表面、図１２は裏面を示す。本図から分かるように、（１）食品名・単位量表記具の態様に合わせて、各食品の単位量当たりカロリー・成分量と、表示する食品を示すポインターを記載している。さらに、つまみ部分に、記載している単位量当たりカロリー・成分量の食品群を区別する表示（表面には「お菓子他」、裏面には「主食他」）を記載している。なお、当該表示はこれに限定されるものではない。
（３）フーズスケール
図１３および図１４は本発明のフーズスケールの１実施態様例を示す図である。本実施態様例は、本実施例の（１）食品名・単位量表記具と（２）単位量当たりカロリー・成分量表記具を組み合わせた例であり、図１３はその表面、図１４は裏面を示す。本図から分かるように、本実施態様例は、表面（図１３）は、「プレーンヨーグルト（１カップ）」および「トマトケチャップ（大さじ１）」に合わせた態様の例であり、裏面（図１４）は、「鮭のムニエル（１切れ）」および「野菜スープ」に合わせた態様の例である。
（４）妊婦体重管理早見表
図１５および図１６は本発明の妊婦体重管理早見表の１実施態様例の一面を示す図である。本実施態様例は、実施例２の体重スケール２と、本実施例の（３）フーズスケールを組み合わせた例であり、図１５はその表面、図１６は裏面を示す。図中央部の破線は折り線であり、折線で二つ折りにすることでコンパクトにすることができる。
【産業上の利用可能性】
【００４７】
本発明の妊婦体重管理早見表は、妊婦自身で、簡単に、妊娠前ＢＭＩ値および妊娠週に応じた適正な体重増加量の範囲を確認することができるものであり、さらに、妊娠前の体重と身長から即座に妊娠前のＢＭＩ値を算出することができ、各妊娠期における１日あたりの食事摂取基準および食品の単位量あたりのカロリーおよび成分量を即座に確認して、一日あたりの食事摂取量を調整することができるものであり、妊婦の体重管理、ひいては胎児の発育管理に極めて有用なものである。
【図面の簡単な説明】
【００４８】
【図１】グラフ表記具１
【図２】体重表記具１
【図３】体重スケール１（妊婦体重管理早見表１）
【図４】グラフ表記具２（表面）
【図５】グラフ表記具２（裏面）
【図６】体重表記具２（表面）
【図７】体重スケール２（妊婦体重管理早見表２）（表面）
【図８】体重スケール２（妊婦体重管理早見表２）（裏面）
【図９】食品名・単位量表記具（表面）
【図１０】食品名・単位量表記具（裏面）
【図１１】単位量当たりカロリー・成分量表記具（表面）
【図１２】単位量当たりカロリー・成分量表記具（裏面）
【図１３】フーズスケール（表面）
【図１４】フーズスケール（裏面）
【図１５】妊婦体重管理早見表３（表面）
【図１６】妊婦体重管理早見表３（裏面）
【符号の説明】
【００４９】
１    グラフ表記具
２    体重表示窓
３    体重表記具
４    切り抜き部
５    ＢＭＩ値早見表
６    つまみ部
７    食品名・単位量表記具
８    ポインター表示窓
９    食品の単位量当たりカロリー・成分量表示窓
１０  妊婦・授乳婦の１日あたりの食事摂取基準表
１１  単位量当たりカロリー・成分量表記具
１２  折り線
【図１】
2007175919.tif 000003
【図２】
2007175919.tif 000004
【図３】
2007175919.tif 000005
【図４】
2007175919.tif 000006
【図５】
2007175919.tif 000007
【図６】
2007175919.tif 000008
【図７】
2007175919.tif 000009
【図８】
2007175919.tif 000010
【図９】
2007175919.tif 000011
【図１０】
2007175919.tif 000012
【図１１】
2007175919.tif 000013
【図１２】
2007175919.tif 000014
【図１３】
2007175919.tif 000015
【図１４】
2007175919.tif 000016
【図１５】
2007175919.tif 000017
【図１６】
2007175919.tif 000018